(57)【要約】【課題】監視映像を停止して撮影画像を表示し、個人の顔をアップにした時に誰か特定できる程度に監視視野範囲を広くする手段を提供する。【解決手段】ビデオカメラと連続撮影カメラは同期信号発生装置の発生する同期信号に基づいて同期して撮影する。撮影データは同期関係が分るように記録再生装置に記録される。ビデオカメラは連続撮影カメラよりも空間分解能が劣るが1/30秒毎に画像（フレーム）を撮影し、15フレームをGOP(Group of Picture)としてMpeg圧縮する。連続撮影カメラは、GOPの先頭のIフレームと同期して1/2秒毎に画像を空間分解能良く撮影する。記録再生装置は、ビデオ影像を再生し、Iフレームで停止させてIフレームの画像を見ることができ、必要に応じ、Iフレームと同期して撮影した空間分解能の良い画像も提示できる。これにより個人の顔を特定できる程度に監視視野を広げることができる。【選択図】図１
2009038426.tif 000002
【特許請求の範囲】
【請求項１】
連続して撮影する時間分解能に優れるが画素数が少なく空間分解能の劣る撮影をするビデオ撮影手段と、
画素数が多く空間分解能に優れるが連続して撮影する時間分解能に劣る連続写真撮影手段と、
上記ビデオ撮影手段でビデオ撮影する所定のコマと同期させて上記連続写真撮影手段の連続写真を撮影できるようにする同期撮影手段を有することを特徴とする２重解像度ビデオカメラ。
【請求項２】
請求項１に記載の２重解像度ビデオカメラにおいて、
上記ビデオ撮影手段と上記連続写真撮影手段とが撮影する画像の視点と視野が同一になるような光学系を形成する手段を有することを特徴とする２重解像度ビデオカメラ。
【請求項３】
請求項１又は請求項２に記載の２重解像度ビデオカメラにおいて、上記ビデオ撮影手段で撮影する撮影データをMpeg圧縮し、上記連続写真と同期させて撮影する上記ビデオ撮影の所定のコマを該Mpeg圧縮のＩフレームとなるようにタイミング制御する同期撮影手段を有することを特徴とする２重解像度ビデオカメラ。
【請求項４】
請求項１又は請求項２に記載の２重解像度ビデオカメラにおいて、上記ビデオ撮影手段で撮影する撮影データをMpeg圧縮し、上記連続写真と同期させて撮影する上記ビデオ撮影の所定のコマが該Mpeg圧縮のＩフレームの複数倍となるようにタイミング制御する同期撮影手段を有することを特徴とする２重解像度ビデオカメラ。
【請求項５】
請求項１又は請求項２に記載の２重解像度ビデオカメラにおいて、上記ビデオ撮影手段と上記連続写真撮影手段で撮影したデータの同期関係が分るように各撮影データを出力する手段を有することを特徴とする２重解像度ビデオカメラ。
【請求項６】
請求項１又は請求項２に記載の２重解像度ビデオカメラにおいて、上記ビデオ撮影手段と上記連続写真撮影手段で撮影したデータの同期関係が分るように各撮影データを保存する手段を有することを特徴とする２重解像度ビデオカメラ。
【請求項７】
請求項６に記載の２重解像度ビデオカメラにおいて、
上記同期関係が分るように保存したデータを参照して、上記ビデオ撮影手段で撮影した映像を表示装置に再生する手段と、
該映像を所望の時刻で止める際に、上記連続写真撮影手段と同期して撮影したコマで止める映像停止手段と、
該映像停止手段で止めたコマと同期して撮影した上記連続写真撮影手段で撮影した写真画像を表示する手段を有することを特徴とする２重解像度ビデオカメラ。
【請求項８】
連続して撮影する時間分解能に優れるが画素数が少なく空間分解能の劣る撮影をするビデオ撮影手段と、画素数が多く空間分解能に優れるが連続して撮影する時間分解能に劣る連続写真撮影手段と、上記ビデオ撮影手段でビデオ撮影する所定のコマと同期させて上記連続写真撮影手段の連続写真を撮影できるようにする同期撮影手段を有する２重解像度ビデオカメラが出力したデータを、
上記データをそれらの同期関係が分かるように保存する手段と、
保存した上記データを参照して上記ビデオ撮影手段で撮影した映像を表示装置に再生する手段と、
上記ビデオ撮影手段で撮影した映像を所望の時刻で停止する操作に応じて、上記連続写真撮影手段と同期して撮影したコマで止める映像停止手段と、
上記映像停止手段で止めたコマと同期して上記連続写真撮影手段で撮影した写真画像を表示する手段を有することを特徴とする２重解像度データ記録再生装置。
【請求項９】
請求項８に記載の２重解像度データ記録再生装置において、
上記表示する手段は、拡大縮小スキップの操作キー及び／または視野スクロールの操作キーを備えており、上記映像停止手段で止めたコマと同期して上記連続写真撮影手段で撮影した写真画像を表示する際に、拡大縮小スキップの操作キー及び／または視野スクロールの操作キーの操作に応じて、画素数が多く空間分解能に優れる写真画像の拡大縮小の及び／または視野スクロールが可能であることを特徴とする２重解像度データ記録再生装置。
【請求項１０】
連続して撮影する時間分解能に優れるが画素数が少なく空間分解能の劣る撮影をするビデオ撮影手段と、画素数が多く空間分解能に優れるが連続して撮影する時間分解能に劣る連続写真撮影手段と、上記ビデオ撮影手段でビデオ撮影する所定のコマと同期させて上記連続写真撮影手段の連続写真を撮影できるようにする同期撮影手段を有する２重解像度ビデオカメラであって、
上記２重解像度ビデオカメラの出力するデータをそれらの同期関係が分かるように保存する手段と、保存した上記データを参照して上記ビデオ撮影手段で撮影した映像を表示装置に再生する手段と、上記ビデオ撮影手段で撮影した映像を所望の時刻で停止する操作に応じて、上記連続写真撮影手段と同期して撮影したコマで止める映像停止手段と、上記映像停止手段で止めたコマと同期して上記連続写真撮影手段で撮影した写真画像を表示する手段を有する２重解像度データ記録再生装置を内蔵していることを特徴とする２重解像度ビデオカメラ。
【請求項１１】
連続して撮影する時間分解能に優れるが画素数が少なく空間分解能の劣る撮影をするビデオ撮影手段と、画素数が多く空間分解能に優れるが連続して撮影する時間分解能に劣る連続写真撮影手段と、上記ビデオ撮影手段でビデオ撮影する所定のコマと同期させて上記連続写真撮影手段の連続写真を撮影できるようにする同期撮影手段を有する２重解像度ビデオカメラであって、
上記２重解像度ビデオカメラの出力するデータをそれらの同期関係が分かるように保存する手段と、保存した上記データを参照して上記ビデオ撮影手段で撮影した映像を表示装置に再生する手段と、上記ビデオ撮影手段で撮影した映像を所望の時刻で停止する操作に応じて、上記連続写真撮影手段と同期して撮影したコマで止める映像停止手段と、上記映像停止手段で止めたコマと同期して上記連続写真撮影手段で撮影した写真画像を表示する手段を有する２重解像度データ記録再生装置にネットワークを介して接続され、
上記２重解像度ビデオカメラの画像が遠隔地で記録再生されることを特徴とする２重解像度ビデオカメラ。
【請求項１２】
請求項１０又は請求項１１に記載の２重解像度ビデオカメラにおいて、
上記２重解像度ビデオカメラのコントローラと上記２重解像度データ記録再生装置のコントローラが共通コントローラとして構成されていることを特徴とする２重解像度ビデオカメラ。
【請求項１３】
請求項１２に記載の２重解像度ビデオカメラにおいて、
上記２重解像度ビデオカメラに、更に、表示装置が内蔵されていることを特徴とする２重解像度ビデオカメラ。
【請求項１４】
請求項１０から請求項１３のいずれかに記載の２重解像度ビデオカメラにおいて、
拡大縮小スキップの操作キー及び／または視野スクロールの操作キーを備えており、上記映像停止手段で止めたコマと同期して上記連続写真撮影手段で撮影した写真画像を表示する際に、拡大縮小スキップの操作キー及び／または視野スクロールの操作キーの操作に応じて、画素数が多く空間分解能に優れる写真画像の拡大縮小の操作及び／または視野スクロールの操作が可能であることを特徴とする２重解像度ビデオカメラ。
【請求項１５】
画素数の少ない第１の画像を撮影する第１の撮影手段と、
画素数の多い第２の画像を撮影する第２の撮影手段とを備え、
上記第２の撮影手段は、上記第１の画像の圧縮単位に応じた複数の画像フレームが上記第１の撮影手段によって撮影されるタイミングに応じて、上記第２の画像を撮影することを特徴とする２重解像度ビデオカメラ。
【請求項１６】
請求項１５に記載の２重解像度ビデオカメラにおいて、
第１のタイミング信号と、上記第１のタイミング信号の周期に対して上記第１の画像の圧縮単位に応じた画像フレームの数周期が長い第２のタイミング信号とを生成するタイミング生成手段と備え、
上記第１の撮影手段は、上記第１のタイミング信号に従って、上記第１の画像を撮影し、
上記第２の撮影手段は、上記第２のタイミング信号に従って、上記第２の画像を撮影することを特徴とする２重解像度ビデオカメラ。
【発明の詳細な説明】
【技術分野】
【０００１】
本発明の技術分野は、監視カメラや家電ビデオカメラなど映像、写真に関する分野における撮影装置、記録再生装置に関する発明である。
【背景技術】
【０００２】
（１）デジタルビデオカメラとデジタルカメラについて
人間が違和感なく動きを持った映像として見える1/30秒程度の時間分解能（フレームレート30fps）を持って連続意的に撮影するデジタルビデオカメラが市販されている。ビデオカメラの規格のDV方式では、画面サイズは720×480ピクセル(Full
D1の場合)、圧縮方式はMpeg1かMpeg2である。画素数の多いハイビジョン対応機種でも、1440×1080画素である。記録圧縮方式は、Mpeg2が一般的である。
【０００３】
一方、デジタルカメラは、連続して次の撮影する迄の時間間隔が1/3秒から数秒程度と低い代わりに画素数が多く、例えば1000万画素（3648×2736画素）といった製品が市販されている。
【０００４】
一般に、CCDが捉えたデータを転送するデータ量に時間当たりの制限があるため、同一のデータ転送能力では、デジタルビデオカメラは、1/30秒という高い時間分解能で連続撮影する代わりに画素数を抑え、デジタルカメラは1000万画素といった高い画素数を持つ代わりに1/3秒といった低い時間分解能でしか撮影できないというトレードオフ関係がある。
【０００５】
デジタルビデオカメラでは、このトレードオフを補うため、画素数が高い写真も同一のCCDで撮影できるようにしたものが市販されている。ただし、高画素数を持つCCDを用いてもビデオ撮影モードでは、低い画素数で撮影し、写真モードでは高い画素数で撮影するということをする。また、Ｓ社のDVDカメラなどでは、動画撮影中でも最大300万画素の写真を３枚まで撮影できる機能を有するが、動画撮影終了後に写真データを転送するもので、連続して次々に何枚でも撮影できる機能はない。
【０００６】
デジタルカメラでも、このトレードオフを補うため、画素数を低くしたビデオも撮影できるようにした機種が市販されている。しかしながら、ビデオモードにすると、写真撮影ができなくなる。ビデオモードで同時に何枚でも連続して写真を撮影するものはない。
【０００７】
以上のように、デジタルビデオカメラは、連続して撮影する時間分解能に優れるが画素数が少なく空間分解能の劣る撮影をするビデオ撮影手段であることに特徴があり、デジタルカメラは、画素数が多く空間分解能に優れるが連続して撮影する時間分解能に劣る連続写真撮影手段となる。
【０００８】
（２）データ圧縮方式について
一般に、デジタルビデオカメラで撮影したデータは、Mpeg圧縮され、デジカメで撮影したデータはJpeg圧縮される。
【０００９】
Mpeg圧縮は、動画の標準化された規格で、数多くの解説文献がある。インターネットでも容易に解説文献を見つけることができ、例えば、非特許文献１などに記載されている。
【００１０】
Mpegは、何枚かの画像データを、独立した一つの纏まりにしたGOP(Group of Picture)構造を持つ。１GOPは、通常0.5秒(15枚の画像)に設定する。GOPの先頭にある1枚の画像(Iフレーム)はJpeg圧縮され、残り1４枚は、時間的に順方向の差分であったり、更に前後から予測した差分であったりする。従って、GOPの先頭にあるIフレームが画質が最も良く、他の14枚は予測差分画像で画質が若干劣るのが一般的である。また、高速にコマ送りして再生する場合は、GOPの先頭のIフレームだけ再生するような高速再生方法もある。このように、GOPのI画像はビデオ撮影でありながら写真撮影と同じ圧縮方法で圧縮を受け、独立した写真になっていて、再生の便が良く、早送り再生や時間飛ばし再生など、影像データを代表させた参照用の画像に利用することもできる。
なお、ビデオ画像は、画像１枚を１フレームと言ったり、１コマと言ったりする。
【００１１】
（３）ハーフミラーを用いて、同一視点、同一視野の写真とモニタを実現した例
特許文献１に、ハーフミラーを用いて、写真と同一視点同一視野を持つモニタを実現した例が記載されている。ハーフミラーが、半分の光を直進させ、半分の光を反射させる性質を持つことを利用し、ハーフミラー以前の光学系を両者で共有することを利用して、モニタが写真と同一視点、同一視野になるようにした。
【００１２】
（４）影像データの一部を静止画データとして別途保存して影像の検索用に利用した例
特許文献２に、影像データをビデオテープに記録保存する場合、後で目的とする影像を探す場合、ビデオテープを再生して見る手間がかかるので、別途、影像データの一部のフレーム画像を、その影像を代表する静止画像として抜き出し、影像との関係が分るように参照用の記録を行い、影像の検索に活用する方法が述べられている。この方法を用いると、影像を代表した静止画像を見て、それが収められているビデオテープの位置まで高速に早送りして、その影像を再生することができる。しかしながら、静止画像は、影像データの一部のフレームを抜き出しているため、影像よりも細部を見たいと思っても分解能は影像を停止した画像と同じで、それ以上の情報は得られない。影像を見て不審な人を捉え、顔をアップにして良く見たいと思っても、影像を撮影した時点の空間分解能以上で観察することはできない。
【００１３】
（５）カメラとビデオカメラを同時に撮影、合成して記録した例
特許文献３に、ビデオカメラの分解能がカメラより一般に劣るため、ビデオカメラと、写真カメラで同時に撮影し、両者のデータを合成して保存する方法が述べられている。ビデオカメラが捉えた影像データの１フレームをプリントアウトしても分解能が悪く、その影像と合成したカメラ画像をプリントアウトすると分解能良い画像が得られるという事が記されている。しかしながら、特許文献３の方法では、ビデオカメラが1/30秒毎に捉える画像フレームと、写真カメラが１秒毎に撮影する写真の撮影時間の同期を取る工夫がなされておらず、また、両者の視点や視野を同一にする仕掛も見当たらない。この状態で、ビデオカメラのフレーム画像29枚と、写真画像を縮小して影像データの１つのフレームとして代用させ30フレームとした合成データを作成し、影像を再生する時は、この合成データを再生するので、30フレームの中の１つのフレームは写真由来の視点や視野がズレた異質な画像となり見難い影像が再生される。仮に、視点や視野を同一にする工夫を行ったとしても、一般に輝度や色合いが異なるため、やはり見難い映像になる。しかも、このように異質な画像が混じるとMpeg圧縮では一般に圧縮率が劣り、無理に圧縮すると画質が低下することになる。
【特許文献１】特開平８−２７１９７６号公報
【特許文献２】特開２００１−３２０７００号公報
【特許文献３】特開２００４−８０３５４号公報
【非特許文献１】http://www.macdtv.com/TVRecording/MPEG/GOP.html
【発明の開示】
【発明が解決しようとする課題】
【００１４】
従来の技術では、動画として視認できるデジタルビデオカメラで撮影した映像を元に監視を行う場合、人間の動きは捉えられるものの、不審な人を認めてコマを止め、顔をアップにして映しても画素数が少なく、誰であるか分らない場合が多い。
【００１５】
通常、人の顔を誰だか認知できる程度に映す場合、2mm程度の分解能が必要とされることが良く知られている。DV方式の横幅720画素のデジタルビデオで撮影した場合、1.4m程度の範囲を視野としないと、顔をアップにして個人を特定できるような画質にならない。また、画素数の多いHDV1080i方式でも横幅は２倍の1440画素で約3mの横幅を視野としなければ、顔をアップにして個人を特定できない。
【００１６】
一方、横幅が2800画素で撮影するデジタルカメラの場合、5.6mの視野を撮影した時に分解能が2mmとなり、人の顔を認知できる程度の画像となる。これは、歩道や大きな建物の入り口など、多くの人が自由に往来、出入りできる通行の要となる場所に適したサイズであり、このようなスポットをデジタルカメラで連続撮影した場合、個人の顔をアップして誰か分る程度の画質を持つことを意味するが、デジタルカメラの連続撮影は1/3〜数秒と遅いため、これらの画像を連続してめくって表示しても人間の目には自然な動画とはならず、見ていると疲れる画像となり、監視映像としては不適切なものとなる。
【００１７】
本発明は、監視映像を停止して個人の顔をアップにした時に誰か特定できる分解能を持った監視視野を通常のデジタルビデオの視野より広い高画素数のデジタルカメラで捉えられる範囲に広げ、かつ、監視映像は通常のビデオカメラの映像と同じ滑らかな動きを持った映像として監視できる手段を提供することにある。
【００１８】
なお、上記手段は、単に監視のみでなく、例えば家庭用ビデオで子供の映っている姿を停止してアップした時に、顔がきれいに映っているデジタルカメラの画質の静止画像が欲しいといったニーズにも応えることができるものである。
【課題を解決するための手段】
【００１９】
上記課題を解決するための基本的な手段として本発明は、（１）人間が違和感なく映像を見える撮影をするデジタルビデオカメラと、画素数が高い画像を連続して撮影するデジタルカメラとを同期させて撮影する撮影手段を設け、（２）ビデオカメラと連続撮影するデジタルカメラのデータを同期関係が分るように保存し、デジタルカメラで撮影した映像を再生し、停止した時にデジタルカメラと同期して撮影したコマで停止し、必要に応じ、そのコマと同期して撮影したデジタルカメラの画素を提示できるようにした。
【発明の効果】
【００２０】
本発明によれば、撮影した映像を動画として人間が違和感なく見ることができると伴に、必要に応じて動画を停止させた時の画像よりも高分解能な画像を見ることができるという利点がある。
【発明を実施するための最良の形態】
【００２１】
以下に、図面を参照して、本発明の実施の形態について説明する。本発明は、デジタルビデオカメラ、監視カメラ、HDDなどの記録再生装置の形態を取ることができる。
【実施例１】
【００２２】
図１は本発明の実施例１における構成図である。以下、構成について説明する。
【００２３】
本発明の２重解像度デジタルビデオカメラ１０１は、ビデオカメラ１０２、連続撮影カメラ１０３、同期信号発生装置１０４からなる。同期信号発生装置１０４は、コントローラ１０５から撮影開始信号を受け取ると、1/30秒毎のビデオコマ取りのタイミングを示す信号と、1/2秒毎のIフレームのタイミングを示す信号を発生する。
【００２４】
ビデオカメラ１０２は、同期信号発生装置１０４の発生するタイミング信号に基づいて、1/30秒毎に撮影し、1/2秒毎、即ち15フレームを一纏まりの処理単位(GOP)としてMpeg圧縮したデータを記録再生装置１０７に送ることができる。また、ビデオカメラ１０２は、1/30秒毎に撮影した画像をNTSC信号として送信し、之を受信した表示装置１０６はビデオカメラ１０２が捉えた映像をリアルタイムに見ることができる。連続撮影カメラ１０３は、同期信号発生装置１０４が発生するタイミング信号に基づき、1/2秒毎に連続して写真を撮影し、Jpeg圧縮したデータを記録再生装置１０７に送ることができる。
【００２５】
記録再生装置１０７は、コントローラ１０８から記録開始信号を受け取ると、ビデオカメラ１０２と連続撮影カメラ１０３の双方から送られるデータを受け取り、同期関係が分るように記録する。また、コントローラ１０８から再生開始信号を受け取ると記録したビデオデータを再生し、表示装置１０９に映像を出力する。また、コントローラ１０８から再生停止信号を受け取ると映像再生を中止して静止画像を出力し、コントローラ１０８から発せられるコントロール信号に基づいて、映像のIフレームにスキップし、Iフレームと同期して撮影した連続撮影カメラが撮影した画像を出力することができる。PC１１０は、記録再生装置１０７に接続すると、記録再生装置１０７からデータを吸い上げることができる。
【００２６】
図２は、ビデオカメラ１０２の内部の構成図である。レンズ２０１で集められた光は絞り２０２で光調整され、ビデオ用CCD２１１で像を結ぶような光学系が形成されている。電子シャッター２０３は、同期信号発生装置１０４の発生する信号に基づき、1/30秒毎に所定の時間、例えば1/600秒間光を通す。ビデオ用CCD２１１は、同期信号発生装置１０４の発生する信号に基づき1/30秒間隔で各画素に蓄えられたチャージを順次A/D２１２に読み取らせる。A/D２１２は、ビデオ用CCD２１１の各画素にあるチャージをデジタル情報に変換し、バッファーメモリ２１３に送る。バッファーメモリ２１３は、同期信号発生装置１０４が発生する信号に基づき1/30秒毎にA/Dから送られるデータを１フレームのデータとして順序良く一時的に蓄え、送れる状態になったデータから順次Mpegエンコーダ２１４、NTSC信号生成出力器２１６に送る。
【００２７】
Mpegエンコーダ２１４は、同期信号発生装置１０４が発生する信号に基づき、1/2秒毎に15フレームのデータを一塊の処理単位(GOP)のデータとしてMpeg圧縮し、圧縮したデータを出力インターフェース２１５に送る。出力インターフェース２１５では受け取ったデータを所定の通信形式、例えばIEEE1394に基づいて記録再生装置１０７にデータを送信する。NTSC信号生成出力器は、受け取った画像データをNTSC信号にアナログ変換して送信し、表示装置１０６が映像を映すことができるようにする。尚、NTSC信号に変換せずに、デジタル信号のまま送信してもよい。
【００２８】
図３は、連続撮影カメラ１０３の構成を示す図である。レンズ３０１で集められた光は絞り３０２で光調整され、画像用CCD３１１で像を結ぶような光学系が形成されている。電子シャッター３０３は、同期信号発生装置１０４の発生する信号に基づき、1/30秒毎に所定の時間、例えば1/600秒間光を通す。画像用CCD３１１は、同期信号発生装置１０４の発生する同期信号に基づき1/30秒間隔で各画素に蓄えられたチャージを順次A/D３１２に読み取らせる。A/D３１２は、画像用CCD３１１の各画素にあるチャージをデジタル情報に変換し、バッファーメモリ３１３に送る。バッファーメモリ３１３は、同期信号発生装置１０４が発生する信号に基づき1/30秒毎にA/Dから送られるデータを１フレームのデータとして順序良く一時的に蓄え、送れる状態になったデータから順次Jpegエンコーダ３１４に送る。
【００２９】
Jpegエンコーダ３１４は同期信号発生装置１０４の同期信号に基づき、１フレームのデータをバッファー３１３から受け取り、Jpeg圧縮し、圧縮したデータを出力インターフェース３１５に送る。出力インターフェース３１５では受け取ったデータを所定の通信形式、例えばIEEE1394に基づいて記録再生装置１０７にデータを送信する。
【００３０】
図４は同期信号発生装置１０４の構成を示す図である。クロック４０１は、一定周期、例えば30Khzのクロック信号をカウンタ４０２に送る。インターフェース４０４は、コントローラ１０５から撮影開始信号を受け取ると、カウンタ４０２にカウントできるON状態を示す電圧、例えば１ｖを出力する。カウンタ４０２はインターフェース４０４からカウントできることを示すON状態の電圧を受けている時は、クロック４０１の発生するクロック信号を受ける度に内部のカウントメモリの値が１増加し、カウントメモリの値が1000を超えた時にカウントの値を０に戻すとともに、パルスを出力する。このパルスは、結果として1/30秒毎に発せられるタイミング信号となり、カウンタ４０３とビデオカメラ１０２に送られる。カウンタ４０３は、カウンタ４０２から出力される1/30秒毎のパルス信号をカウントし、内部のカウンタメモリの値が１５を超えた時にカウンタのメモリを０に戻すと伴にパルスを発生する。このパルスは結果として1/2秒毎に発せられるタイミング信号となり、ビデオカメラ１０２と連続撮影カメラ１０３に送られ、ビデオカメラ１０２と連続撮影カメラ１０３はタイミング信号に基づいて撮影することができる。
【００３１】
また、インターフェース４０４は、コントローラ１０５から撮影終了信号を受け取ると、カウンタ４０２にカウントできないOFF状態を示す電圧、例えば０ｖを出力する。カウンタ４０２はインターフェース４０４からカウントできないことを示すOFF状態の電圧を受けている時は、カウントせず、その後のタイミング信号を発生することはなく、ビデオカメラ１０２と連続撮影カメラ１０３はタイミング信号を受け取ることはなく、撮影動作は終了する。
【００３２】
図５は、記録再生装置１０７の構成を示す図である。インターフェース５０３は、コントローラ１０８からの録画開始信号を受けるとプロセッサ５０４に録画開始の割り込み信号を出し、プロセッサ５０４は、録画用のプログラムをプログラムメモリ５０５から引き出して実行する。プロセッサ５０４が録画用のプログラムを実行すると、データ用メモリ５０６を介し、インターフェース５０１とインターフェース５０２の受け取るデータをデータ用メモリ５０６に転送し、更にハードディスクドライバ５０８にデータを渡す。その際、インターフェース５０１が受け取るビデオカメラ１０２のMpegデータとインターフェース５０２が受け取る連続撮影カメラ１０３のJpegデータとの同期関係も分るように、セクタ管理メモリ５０７にセクタ情報を書き込み、データメモリ５０６を介してディスクドライバ５０８にこれ等のデータと書き込む場所を示したセクタ情報を送る。
【００３３】
ディスクドライバ５０８は、データメモリ５０６を介して送られて来たデータとセクタ情報に基づき、ハードディスク５０９の所定の場所にデータを書き込む。また、インターフェース５０３がコントローラ１０８からの再生メニュー信号を受け取ると、プロセッサ５０４に再生開始用の割り込みがかかり、プログラムメモリ５０５の所定の位置から再生メニュー用プログラムを読み出し再生メニュー用プログラムが実行され、セクタ管理メモリ５０７から保存したデータの撮影日時情報を取り出して、出力画面のイメージ情報に加工し、データ用メモリ５０６を介してNTSC信号生成出力器５１１にイメージ情報を渡す。
NTSC信号生成出力器５１１は、受けたイメージ情報をNTSC信号にして出力する。表示装置１０９は、NTSC信号生成出力器５１１が生成したNTSC信号を受け画面にメニュー画像を表示する。
【００３４】
オペレータが表示画面１０９に表示されたメニュー画面を見て再生を所望するデータを選択するようにコントローラ１０８を操作すると、コントローラ１０８は対応したコントロール信号をインターフェース５０３に伝え、更にデータ用メモリ５０６の所定の場所に、所望の再生データを示す情報が伝わる。更に、インターフェース５０３は、コントローラ１０８から再生開始信号を受け取ると、プロセッサ５０４に再生開始の割り込みをかけ、プロセッサ５０４はプログラムメモリ５０５の所定の位置から再生用プログラムを呼び出して再生プログラムを実行し、データ用メモリ５０６の所定の場所に格納していた再生データの情報を参照して所望のビデオ映像データをハードディスク５０９から引き出し、データ用メモリ５０６を介してデコーダ５１０に映像データが渡る。
【００３５】
ハードディスク５０９から引き出した映像データはMpeg圧縮をうけたデータであり、デコーダ５１０はMpeg圧縮を解凍して順次映像用の画像データをNTSC信号生成出力器５１１に送り、NTSC信号生成出力器５１１は順次画像データをNTSC信号にして出力し、結果として表示装置１０９にビデオカメラ１０２で撮影した映像が再生される。
【００３６】
同様に、インターフェース５０３は、コントローラ１０８から早送り信号や巻き戻し信号を受け取ると、ハードディスク５０９から読み出すデータの位置を先に送ったり前に戻したりする。また、画像再生中に、インターフェース５０３がコントローラ１０８から再生停止信号を受けると、プロセッサ５０４が各機器を制御して結果として動画の再生を停止してその時点の静止画像を表示装置１０９が表示するようになり、また、Iフレームにスキップする信号を受けるとスキップしたIフレームの画像を表示し、更に写真提示信号を受けるとそのIフレームと同期して撮影した写真データをセクタ管理メモリ５０７からハードディスク５０９の格納場所から引き出しデコーダ５１０がJpeg解凍してNTSC信号生成出力器５１１が写真画像をNTSC信号として流し続け、結果として表示装置１０９に写真を表示することができる。
【００３７】
また、インターフェース５０３は、コントローラ１０８からの録画終了信号を受けるとプロセッサ５０４に録画終了の割り込み信号を出し、プロセッサ５０４は、録画用のプログラムの動作を止め、録画が終了する。
【００３８】
記録再生装置１０７は、IEEE1394インターフェース５１２を通し、PC１１０にハードディスク５０９にデータを転送できる。PC１１０にデータを転送する手段は、市販のハードディスクやビデオカメラ、デジタルカメラなどがPC１１０にデータを転送する時と同じ手段を用いることもできる。
【００３９】
図６は、デコーダ５１０の構成を示す図である。バッファーメモリ６０１は、データ用メモリ５０６から転送されるデータをJpegデータであれば画像の１枚分、MpegデータであればGOP分入力用のメモリに書き込み、書き込みが終わった時点でメモリバンクして書き込みと読み出しのメモリの役割を変え、今まで書き込んだメモリを読み出し用にし、今まで読み出し用だったメモリを書き込み用にすることで、書き込みと読み出しを同時に行うことを可能にする。
【００４０】
Jpegデコード演算チップ６０２は、バッファーメモリ６０１の読み出し用にバンクされたメモリに蓄えられているデータがJpegかMpegかフラグを見て判断し、Jpegデータであれば、Jpegの解凍演算をしてバッファーメモリ６０４に出力する。Mpegでコード演算チップ６０３は、バッファーメモリ６０１の読み出し用にバンクされたメモリに蓄えられているデータがMpegデータであればMpeg解凍演算を行い、結果をバッファーメモリ６０４に出力する。バッファーメモリ６０４は、入力が終わり、出力可能になったメモリから順次データをNTSC信号生成出力器５１１に送ることができる。NTSC信号生成出力器５１１はNTSC信号を生成するのに必要なデータをバッファーメモリ６０４から順次引き出してNTSC信号に変え、表示装置１０６が信号を受け映像や画像を表示する。
【００４１】
図７は、コントローラ１０５の構成を示す図である。撮影開始スイッチ７０１、撮影終了スイッチ７０２をオペレータが押すと、スイッチI/O７１１が、それぞれのスイッチに対応した制御信号を生成し、同期信号発生装置１０４にそれぞれの信号を送る。例えば、撮影開始スイッチ７０１を押すと、これから信号を送る送信開始信号＋−＋−＋−＋−のアトに＋＋――――――信号を送り、撮影開始信号とする。また、撮影終了スイッチを押すと、送信開始信号＋−＋−＋−＋−のアトに＋＋―――――＋信号を送り、撮影終了信号とする。
【００４２】
同期信号発生装置１０４は、撮影開始信号を受け取ると同期信号を発生し、２重解像度デジタルビデオカメラ１０１は撮影を開始する。同様に、同期信号発生装置１０４は、撮影終了信号を受け取ると、同時信号を発生しなくなり、２重解像度デジタルビデオカメラ１０１は撮影を終了する。
【００４３】
図８は、記録再生用のコントローラ１０８の構成を示す図である。録画開始スイッチ８０１、録画終了スイッチ８０２、再生メニュー選択スイッチ８０３、再生停止早送り巻き戻しスイッチ８０４、Iフレームスキップスイッチ８０５、写真提示スイッチ８０６は、オペレータが各スイッチを押すと、スイッチI/O８１１が各状態に対応した制御信号を生成し、記録再生装置１０７に制御信号を送り、記録再生装置１０７がそれぞれに対応した動作を行う。例えば、録画開始スイッチ８０１を押すと、スイッチI/O８１１は送信開始信号＋−＋−＋−＋−のアトに＋＋――――＋―信号が付いた録画開始信号を出力し、録画終了スイッチ８０２を押すと送信開始信号＋−＋−＋−＋−のアトに＋＋――――＋＋信号が付いた録画停止信号を出力する。
【００４４】
その他、再生メニュー選択スイッチ８０３は、中央を押すと再生メニュー信号が、左右を押すと再生を所望するデータを選択する信号が、スイッチI/O８１１から送られる。同様に再生停止早送り巻き戻しスイッチ８０４の上側を押すと再生開始信号が、左側を押すと巻き戻し信号が、右側を押すと早送り信号が、下側を押すと停止信号が、スイッチI/O８１１から送られる。また、Iフレームスキップスイッチ８０５を押すとIフレームにスキップする信号が、写真提示スイッチ８０６を押すと写真提示信号が、スイッチI/O８１１から送られる。以上、本発明の実施例１の構成と各機器の動作について述べた。
【００４５】
次に、図１３に本発明の特徴である同期撮影を可能にする同期信号発生装置１０４が発生する同期信号についてタイミングが分るように記したタイミング図を示す。
【００４６】
図１３に示した1/30秒毎に発せられるパルス１３０１は、カウンタ４０２から発せられる。1/30秒毎に発せられるパルス１３０１が１５個あると、一纏まりのGOPを形成するパルス群１３０２となる。GOPを形成するパルス群１３０２の先頭のパルスと同期して1/2秒毎に発せられるパルス１３０３は、カウンタ４０３から発せられる。連続撮影カメラ１０３は、1/2秒毎に発せられるパルス１３０３に基づいて写真撮影する。ビデオカメラ１０２は、1/30秒毎に発せられるパルス１３０１に基づいて各フレーム画像を撮影し、1/2秒毎に発せられるパルス１３０３に基づいてGOPの先頭を知り、一纏まりのMpeg処理データを作成する。
【００４７】
図１５と図１６、図２１は、本発明の特徴である同期撮影をしたデータを同期関係が分るように記録再生装置１０７が記録できるようにするために、セクタ管理メモリ５０７に書き込まれるセクタ管理情報を示した各種テーブルを示す図である。
【００４８】
図２１は、次に記録すべきセクタ番号とセクタ内の番地を示すテーブル２１００を示した図である。セクタ管理メモリ５０７内の所定の番地に実際の値が格納され、プロセッサ５０４はこの値を参照して、データをハードディスク上のしかるべき場所に書き込むことができる。ビデオカメラ１０２から来る動画のMpegデータは、動画データを次に記録すべきセクタ番号２１０１、動画データを次に記録すべきセクタ内の番地２１０２に書かれたセクタ番号と番地を先頭として動画の一連のデータ単位であるGOP分のデータをハードディスク５０９に書き込み、GOP１つ分のデータの書き込みが終了すると、動画データを次に記録すべきセクタ番号２１０１、動画データを次に記録すべきセクタ内の番地２１０２の内容を書き込んだ情報量だけ更新して次に書き込むセクタやセクタ内番地が分るようにする。更に次のGOP分のデータを同様に書き込み、データの書き込みが終了した時点で、その次の書き込みがある場合に書き込み先の先頭セクタとセクタ内番地が、動画データを次に記録すべきセクタ番号２１０１、動画データを次に記録すべきセクタ内の番地２１０２に書き込まれていることになる。
【００４９】
同様に、連続撮影カメラ１０３から来る静止画像のJpegデータは、静止画データを次に記録すべきセクタ番号２１０３、静止画データを次に記録すべきセクタ内の番地２１０４に書き込まれているセクタ番号と番地を先頭として静止画像１枚分のJpegデータをハードディスク５０９に書き込まれ、書き込みが終わった時点で、書き込んだ情報分更新され、順次、次の静止画像を書き込むことができるようになる。
【００５０】
図１５は、データ格納状態を示すセクタ管理情報１５０１の具体のテーブル内容を示した図である。ハードディスク５０９のセクタ番号１５０２に情報の書き込みが終わった場合に、次に記録したセクタ番号１５０３を記している。次に記録したセクタ番号１５０３の数値が、０００００である場合は、このセクタ番号１５０２は、まだ情報が書き込まれていない、または、書き込み中の状態を示す。書き込み中かどうかは、データを書き込み中のセクタ番号を示すメモリの内容を見ると分る。
【００５１】
図１５を見ると、この例では、セクタ番号００００１の次に００００５、００００８、００００３、０００１０と続いてデータが格納されていることが分る。また、セクタ番号００００２の次に００００４、００００７、００００９と続くことも分る。
【００５２】
図１６は、ビデオカメラ１０２から来るMpegデータと連続撮影カメラ１０３から来るJpegデータの同期関係が分るようにした同期関係管理テーブル１６０１である。撮影番号１６０２とその撮影を開始した撮影日時１６０３、ビデオカメラ１０２が撮影した動画をMpegデータとして保存を開始したセクタ番号１６０４、およびセクタ内の番地１６０５と、これと同期して連続撮影カメラ１０３が写真撮影した写真をJpegデータとして保存を開始したセクタ番号１６０６、およびセクタ内の番地１６０７を記したテーブルである。これにより、各撮影におけるビデオカメラ１０２と連続撮影カメラ１０３で撮影された動画と静止画像の同期関係が分かるように、ハードディスク５０９にデータが格納できる。
【００５３】
図１６を見ると、この例では、撮影番号１６０２の１番に記載された動画の格納を開始したセクタ番号１６０４は００００１であり、セクタ内の番地１６０５は０００００００００である。また、之と同期して撮影した静止画像の格納を開始したセクタ番号１６０６は００００２であり、セクタ内の番地１６０７は０００００００００である。次の撮影番号１６０２の２番に記載された動画の格納開始セクタ番号１６０４は００００１であり、セクタ内の番地１６０５は、１１５３２１５２２である。
【００５４】
また、これと同期して撮影した静止画像の格納開始セクタ番号１６０６は、００００２であり、セクタ内の番地１６０７は、１４１１３２３８４である。プロセッサ５０４は、以上のテーブル値を参照して、各撮影の所望のデータをハードディスク５０９から引き出すことができる。また、書き込みを開始する場合は、図２１に記載した次に記録すべきセクタ番号とセクタ内の番地を示すテーブル２１００を参照して同期関係管理テーブル１６０１の撮影を開始する番号のセクタと番地の情報を書き込み、動画、静止画、それぞれのデータを、ハードディスク５０９の所定のセクタと番地から書き込むことができる。
【００５５】
図１７は、表示装置１０９に表示される動画像や静止画像の関係を模式的に示した図である。動画像１７０１は、１５フレームが１つの纏まり（GOP１７０２）になったもので、各フレームは、1/30秒毎に撮影された画像である。GOP１７０２の先頭のフレームはIフレーム１７０３と言われ、Mpeg圧縮データでは、GOP１７０２の中のこのIフレーム１７０３だけはJpeg圧縮され、他の１４フレームより画質が良い。
【００５６】
本発明の実施例１では、動画の中で特に画質の良いIフレーム１７０３と同期して連続した静止画像１７０５が撮影される。連続して撮影された静止画像１７０４は、動画像１７０１と同期関係があり、動画像１７０１の各Iフレームには、それと同期して撮影された静止画像がある。以上の実施例では、動画像１７０１の所定のIフレームを表示する他、必要に応じ、これと同期して撮影された静止画像を表示することができる。
【００５７】
以上により、本発明の実施例１では、ビデオカメラ１０２で撮影された動画と連続撮影カメラ１０３で連続的に撮影された静止画像が同期して撮影され、同期関係が分るように記録保存、再生をすることができる。
【実施例２】
【００５８】
本発明の実施例２における構成図は、図１と同じである。更に、各機器の構成図である図２、図３、図５、図６、図７、図８も同じである。同期信号発生装置１０４の構成図が図２０となり、同期信号発生装置１０４の発生するパルスのタイミングを示す模式図が図１４となる。その他は、本発明の実施例１と同様である。
【００５９】
本発明の実施例１では、ビデオカメラ１０２は1/30秒毎にフレーム画像を撮影し、15フレームでGOPを形成し、GOPの先頭に合わせて連続撮影カメラ１０３が写真撮影をしていた。本発明の実施例２は、連続撮影カメラ１０３が、２秒毎に撮影する場合の実施例である。
【００６０】
図２０は、本発明の実施例２における同期信号発生装置１０４の構成を示す図である。本発明の実施例１における同期信号発生装置１０４の構成を示した図４と比較すると、カウンタ２００４が追加され、連続撮影カメラ１０３にカウンタ２００４からの同期信号が行くことが異なる。その他は図４と同一である。カウンタ２００４は、カウンタ４０３からの1/2秒毎に発せられるタイミング信号を４回カウントする毎にタイミング信号を発する。結果として、連続撮影カメラ１０３に２秒毎のタイミング信号を送る。
【００６１】
図１４は、本発明の第２の同期信号発生装置１０４のカウンタ４０３が発する各種同期信号のパルスを模式的に示したタイミング図である。図１３の本発明第１のタイミング図と比較すると、２秒毎に発せられるパルス１４０４があることが異なる。他は同一である。２秒毎に発せられるパルス１４０４は、1/2秒毎に発せられるパルス１３０３が４回発せられる毎に１回、同期して発せられる。そのため、２秒毎に発せられるパルス１４０４をタイミング信号として撮影する連続撮影カメラ１０３は、ビデオカメラ１０２のIフレームと同期して４つおきに写真撮影することになる。
【００６２】
以上により、本発明の実施例２では、GOP４つ毎にIフレームと同期した写真が得られる。このため、連続撮影カメラ１０３が高画素数で連続して撮影できる速さの上限が２秒である場合にも対応できる。
【実施例３】
【００６３】
本発明の実施例３における構成図は、図９である。本発明の実施例１における構成図である図１と比較すると、カメラ用のコントローラ１０５、記録再生用のコントローラ１０８が共通コントローラ９２０になった所が異なるだけで、他は同じである。
【００６４】
図１０は共通コントローラ９２０の構成図である。カメラ用のコントローラ１０５、記録再生用のコントローラ１０８の各スイッチ（７０１、７０２、８０１〜８０６）が全てあり、スイッチI/O１０１１は、それぞれのスイッチを押すと、それぞれに対応した制御信号を生成し、同期信号生成装置１０４、記録再生装置１０７にそれぞれ信号が渡る。生成する信号は、本発明の実施例１と同じなので、本発明の実施例１と全く同じ動作をする。
【００６５】
本発明の実施例３では、コントローラの数が少なくなるという利点がある。
【００６６】
なお、共通コントローラ９２０から同期信号生成装置１０４、記録再生装置１０７の接続は、図のような配線による接続だけでなく、市販の赤外線通信を用いた接続などを行い、所謂リモコン接続にすることもできる。
【実施例４】
【００６７】
本発明の実施例４における構成図は、図１１である。本発明の実施例３における構成図である図９と比較すると、記録再生装置１０７が２重解像度デジタルビデオカメラ１０１に内蔵された所のみ異なり、他は同一である。内蔵記録再生装置１１０７は、記録再生装置１０７と同一の構成を持つ。
【００６８】
即ち、本発明第４の２重解像度デジタルビデオカメラ１１０１は、内蔵記録再生装置１１０７を内部に持ち、２重解像度デジタルビデオカメラ１１０１を持ち運んだ時に、持ち運んだ先で外部に記録再生装置がなくても、内部で記録ができるという利点がある。
【００６９】
また、PC１１０は、内蔵記録再生装置１１０７からデータを吸い寄せることができ、PC１１０では、このデータに対応した所定のソフトで映像の表示や停止、Iフレームへのコマ送りやIフレームでの高速再生などができ、また、Iフレームに対応した写真画像を提示することもできる。
【実施例５】
【００７０】
本発明の実施例５における構成図は、図１２である。本発明の実施例４における構成図である図１１と比較すると、共通コントローラ９２０、表示装置１０６が２重解像度デジタルビデオカメラ１１０１に内蔵された所のみ異なり、他は同一である。
【００７１】
即ち、本発明第５の２重解像度デジタルビデオカメラ１２０１は、本体に取り付けられたコントローラ１２２０、本体に取り付けられた表示装置１２０６を持ち、２重解像度デジタルビデオカメラ１２０１を持ち運んだ時に、持ち運んだ先で外部に表示装置がなくても、表示ができるという利点がある。
【００７２】
なお、本体に取り付けられたコントローラ１２２０の構成は、共通コントローラ９２０と同一である。
【００７３】
その他、本体に取り付けられた表示装置１２０６は、表示装置１０９に表示する画像も表示できるように、ビデオカメラ１０２から来る信号と内蔵記録再生装置１１０７から来る信号をスイッチして双方適切に表示させるように２重解像度デジタルビデオカメラ１２０１にスイッチを設けることもできる。
【実施例６】
【００７４】
本発明の実施例６における構成図は、図１８である。本発明の第１の構成図である図１と比較すると、本発明第１の２重解像度デジタルビデオカメラ１０１が、本発明第６の同一視点同一視野２重解像度カメラ１８０１になっただけで、他は同一である。
【００７５】
図１９に、本発明の実施例６の同一視点同一視野２重解像度カメラ１８０１の構成図を示す。本発明第１の構成では、図２、図３で示すように、レンズと絞りは、レンズ２０１、３０１、絞り２０２、３０２と、２つずつあったが、本発明第６の構成では、レンズ１９０１、絞り１９０２と１つしかない。その代わり、ハーフミラー１９００で光を半分透過、半分反射させ、ビデオ用CCD２１１と画像用CCD３１１は同一視点同一視野の像を受光することになる。その他は本発明の実施例１と同一である。
【００７６】
本発明の実施例６によると、ビデオ影像およびIフレームと同期して撮影される連続写真も同一視野、同一視点で撮影したものとなる利点がある。
【実施例７】
【００７７】
本発明の実施例７における構成図は、図２２である。本発明の実施例１における構成図１と比較すると、コントローラ１０８が、コントローラ２２０８に代わっただけで、他は全く同一である。図２３がコントローラ２２０８の構成図である。コントローラ１０８の構成図である図８と比較すると、拡大縮小スキップスイッチ２３０７と視野スクロールスイッチ２３０８が追加された事が異なり、他は同一である。追加したスイッチ２３０７、２３０８が押されると、それぞれの機能に対応して固有の信号をスイッチI/O８１１は発生し、記録再生装置１０７に送る。記録再生装置１０７の構成図は、図５であり、本発明の実施例１と構成は変わらない。追加された機能に対応したプログラムがプログラムメモリ５０５に格納しているため、ハードは同一でも拡張した機能を実行することができる。
【００７８】
本発明の実施例７では、本発明の実施例１と同様に、２重解像度デジタルビデオカメラ１０１が撮影したデータを記録再生装置１０７が記録する。その後、記録再生装置１０７で影像を再生し、所望のIフレーム画像で停止して、そのIフレーム画像と同期して撮影した連続撮影カメラ１０３が撮影した静止画像を表示装置１０９に表示させる所迄、本発明の実施例１と全く同様である。本発明の実施例７では、表示装置１０９に表示させた静止画像を拡大表示したり、拡大表示した時の表示視野部分をスクロールさせたり、次や前に撮影されたIフレームの静止画像を拡大率や表示視野部分を保ったままスキップ表示したりする機能を追加した。
【００７９】
次に、本発明の実施例７の特徴である拡張した機能について詳しく述べる。
【００８０】
図２３の拡大縮小スキップスイッチ２３０７の上側を押すと拡大信号が、下側を押すと縮小信号が、左側を押すと前のIフレームに戻るスキップ信号が、右側を押すと次のIフレームに進むスキップ信号をスイッチI/O８１１が発生する。また、視野スクロールスイッチ２２０８の左側を押すと表示視野を左側にスクロールする信号、右側、上側、下側を押すと、それぞれ表示視野を右側、上側、下側にスクロールする信号をスイッチI/O８１１が発生する。
【００８１】
図５に示した記録再生装置１０７のインターフェース５０３は、コントローラ１０８が発生する信号を受信すると、プロセッサ５０４に割り込みがかかり、プロセッサ５０４は、該当信号の種類に応じた所定のプログラムをプログラムメモリ５０５から引き出し、プログラムに記述された所定の動作を実行する。
【００８２】
実施例１と同様の手順を実行して、表示装置１０９が所望のIフレームに対応した写真画像を表示している時に、オペレータがコントローラ２２０８の拡大縮小スキップスイッチ２３０７の上側を押すとスイッチI/O８１１が拡大信号を発生し、インターフェース５０３が拡大信号を受け取ると、プロセッサ５０４に拡大の割り込みがかかり、プログラムメモリ５０５の所定の位置から拡大用プログラムを読み出し拡大プログラムが実行される。拡大プログラムが実行されると、データ用メモリ５０６に記録された拡大率の値をその値の２倍の値に変更し、データ用メモリ５０６に記録された表示視野中心位置のパラメータデータと共にデコーダ５１０にこれ等のパラメータデータを送る。
【００８３】
デコーダ６０１のバッファー６０１の所定の場所にこれ等のパラメータが書き込まれると、Jpegデコード演算チップ６０２は、バッファーメモリ６０１にあるJpegデータを解凍すると共に、拡大縮小、視野中心位置のパラメータを参照して必要な部分を表示装置１０９の画面に収まるように拡大・縮小した画像データをバッファーメモリ６０４に送り、NTSC信号生成出力器５１１は、バッファーメモリ６０４に入った画像データのイメージ情報をNTSC信号にして出力する。結果として表示装置１０９に所望のIフレーム画像に対応した写真の所望の拡大率、視野中心を持った画像が表示され、他の操作をしない限り、それが表示され続ける。
【００８４】
同様に、オペレータがコントローラ２２０８の拡大縮小スキップスイッチ２３０７の下側を押すと、結果として、データ用メモリ５０６に記録された拡大率の値がその値の1/２の値に変更され、視野スクロールスイッチ２３０８の左側を押すと、データ用メモリ５０６に記録された表示視野中心位置のパラメータデータ値を１視野分左に移動するように値が代わり、また、同様に右側を押すと右側、上側を押すと上側、下側を押すと下側に１視野分移動するようにデータ用メモリ５０６に記録された表示視野中心位置のパラメータデータ値が代わる。そして、同様にこれ等のパラメータ値がデコーダ５１０に渡り、所望の拡大・縮小・表示視野のスクロールを行った画像が表示装置１０９に表示される。
【００８５】
なお、表示すべきデータが表示画面に収まるように、拡大・縮小率や表示視野中心位置のパラメータ値に上限や下限を設けると、表示装置１０９の表示画面を外れた表示がないようにすることができる。また、これ等の値の最初のデフォルト値を写真が表示装置１０９の画面にビデオ画像と同様の大きさで映るような値にすることで、最初に写真表示した場合にいきなり何処だか場所の分らない拡大画像が表示されることが避けられる。
【００８６】
その他、写真画像を表示装置１０９に表示させている最中に、拡大縮小スキップスイッチ２３０７の左側を押すと、今見ているIフレームより１つ前のIフレームに対応した写真データをセクタ管理メモリ５０７を参照してハードディスク５０９の格納場所から引き出し、デコーダ５１０がJpeg解凍して、先のIフレームを表示していた時と同じ拡大・縮小率、表示視野中心の画像が表示装置１０９に表示される。また、拡大縮小スキップスイッチ２３０７の右側を押すと、同様に、今見ているIフレームの１つ先のIフレームに対応した写真が表示装置１０９に表示される。
【００８７】
以上のような機能を記録再生装置１０７に持たせることができたのは、ビデオカメラ１０２と連続カメラ１０３とを同期信号発生装置１０４の発生する同期信号に基づいて同期させて撮影することができたこと、および、ビデオカメラと連続撮影するデジタルカメラのデータを同期関係が分るようにセクタ管理メモリ５０７にセクタ管理情報を記録してハードディスク５０９にデータを記録保存した事が根底となっている。その上で、必要に応じ、所望のIフレームに対応した写真を表示することが可能になり、以上のような使い勝手良い機能を実現できる。
【００８８】
また、実施例６のように、ビデオ用CCD２１１と画像用CCD３１１の捉える像が、同一視点、同一視野になるような光学系を形成すると、影像データのIフレーム画像と同期して撮影される写真画像とが同一視点、同一視野となり、ビデオ画像を見てIフレームで止めて、それに対応した写真画像を見た時のビデオ画像との違和感がより少なくなり、見やすく、更に使い勝手が向上する。
【産業上の利用可能性】
【００８９】
本発明は、デジタルビデオカメラやデジタルカメラで影像を捉える全ての分野に利用される可能性がある。例えば、監視用カメラ、家庭用や業務用のビデオカメラなどに利用でき、その他、宣伝、アミューズメントなどのコンテンツ作成などにも適用できる可能性がある。
【図面の簡単な説明】
【００９０】
【図１】図１は本発明の実施例１、２における全体の構成図である。
【図２】図２は本発明の実施例１から５のビデオカメラ１０２の構成図である。
【図３】図３は本発明の実施例１から５の連続撮影カメラ１０３の構成図である。
【図４】図４は本発明の実施例１、３から５の同期信号発生装置１０４の構成図である。
【図５】図５は本発明の実施例における記録再生装置１０７、内蔵記録再生装置１１０７の構成図である。
【図６】図６は本発明の実施例におけるデコーダ５１０の構成図である。
【図７】図７は本発明の実施例１、２、６におけるコントローラ１０５の構成図である。
【図８】図８は本発明の実施例１、２、６におけるコントローラ１０８の構成図である。
【図９】図９は本発明の実施例３における全体の構成図である。
【図１０】図１０は本発明の実施例３、４における共通コントローラ９２０の構成図である。
【図１１】図１１は本発明の実施例４における全体の構成図である。
【図１２】図１２は本発明の実施例５における全体の構成図である。
【図１３】図１３は本発明の実施例１、３から６における同期信号発生装置１０４（図４）が発生する同期信号のタイミング図である。
【図１４】図１４は本発明の実施例２における同期信号発生装置１０４（図２０）が発生する同期信号のタイミング図である。
【図１５】図１５は本発明のセクタ管理メモリ５０７に書き込まれるデータ格納状態を示すセクタ管理情報を示す図である。
【図１６】図１６は本発明のセクタ管理メモリ５０７に書き込まれる同期関係管理テーブルを示す図である。
【図１７】図１７は本発明で撮影される動画と静止画の同期関係を示す模式図である。
【図１８】図１８は本発明の実施例６における全体の構成図である。
【図１９】図１９は本発明の実施例６における同一視点同一視野２重解像度ビデオカメラの構成図である。
【図２０】図２０は本発明の実施例２における同期信号発生回路の構成図である。
【図２１】図２１は本発明のセクタ管理メモリ５０７に書き込まれるセクタ管理情報の一つを示す図である。
【図２２】図２２は本発明の実施例７における全体の構成図である。
【図２３】図２３は本発明の実施例７におけるコントローラ２２０８の構成図である。
【符号の説明】
【００９１】
１０１    ２重解像度デジタルビデオカメラ
１０２    ビデオカメラ
１０３    連続撮影カメラ
１０４    同期信号発生装置
１０５    コントローラ
１０６    表示装置
１０７    記録再生装置
１０８    コントローラ
１０９    表示装置
１１０    ＰＣ
２０１    レンズ
２０２    絞り
２０３    電子シャッター
２１１    ビデオ用CCD
２１２    A/D
２１３    バッファーメモリ
２１４    Mpegエンコーダ
２１５    出力インターフェース
２１６    NTSC信号生成出力器
３０１    レンズ
３０２    絞り
３０３    電子シャッター
３１１    画像用CCD
３１２    A/D
３１３    バッファーメモリ
３１４    Jpegエンコーダ
３１５    出力インターフェース
４０１    クロック
４０２    カウンタ
４０３    カウンタ
４０４    インターフェース
５０１    インターフェース
５０２    インターフェース
５０３    インターフェース
５０４    プロセッサ
５０５    プログラムメモリ
５０６    データ用メモリ
５０７    セクタ管理メモリ
５０８    ディスクドライバ
５０９    ハードディスク
５１０    デコーダ
５１１    NTSC信号生成出力器
５１２    IEEE１３９４インターフェース
６０１    バッファーメモリ
６０２    Jpegデコード演算チップ
６０３    Mpegデコード演算チップ
６０４    バッファーメモリ
７０１    撮影開始スイッチ
７０２    撮影終了スイッチ
７１１    スイッチI/O
８０１    録画開始スイッチ
８０２    録画終了スイッチ
８０３    再生メニュー選択スイッチ
８０４    再生停止早送り巻き戻しスイッチ
８０５    Iフレームスキップスイッチ
８０６    写真提示スイッチ
８１１    スイッチI/O
９２０    共通コントローラ
１０１１    スイッチI/O
１１０１    ２重解像度デジタルビデオカメラ
１１０７    内蔵記録再生装置
１２０１    ２重解像度デジタルビデオカメラ
１２０６    本体に取り付けられた表示装置
１２２０    本体に取り付けられたコントローラ
１３０１    1/30秒毎に発せられるパルス
１３０２    GOPを形成するパルス群
１３０３    1/2秒毎に発せられるパルス
１４０４    2秒毎に発せられるパルス
１５０１    データ格納状態を示すセクタ管理情報
１５０２    セクタ番号
１５０３    次に記録したセクタ番号
１６０１    同期関係テーブル
１６０２    撮影番号
１６０３    撮影日時
１６０４    セクタ番号
１６０５    セクタ内の番地
１６０６    セクタ番号
１６０７    セクタ内の番地
１７０１    動画像
１７０２    GOP
１７０３    Iフレーム
１７０４    連続して撮影された静止画像
１７０５    静止画像
１８０１    同一視点同一視野２重解像度デジタルビデオカメラ
１９００    ハーフミラー
１９０１    レンズ
１９０２    絞り
２００４    カウンタ
２１０１    動画データを次に記録すべきセクタ番号
２１０２    動画データを次に記録すべきセクタ内の番地
２１０３    静止画データを次に記録すべきセクタ番号
２１０４    静止画データを次に記録すべきセクタ内の番地
２２０８    コントローラ
２３０７    拡大縮小スキップスイッチ
２２０８    視野スクロールスイッチ
【図１】
2009038426.tif 000003
【図２】
2009038426.tif 000004
【図３】
2009038426.tif 000005
【図４】
2009038426.tif 000006
【図５】
2009038426.tif 000007
【図６】
2009038426.tif 000008
【図７】
2009038426.tif 000009
【図８】
2009038426.tif 000010
【図９】
2009038426.tif 000011
【図１０】
2009038426.tif 000012
【図１１】
2009038426.tif 000013
【図１２】
2009038426.tif 000014
【図１３】
2009038426.tif 000015
【図１４】
2009038426.tif 000016
【図１５】
2009038426.tif 000017
【図１６】
2009038426.tif 000018
【図１７】
2009038426.tif 000019
【図１８】
2009038426.tif 000020
【図１９】
2009038426.tif 000021
【図２０】
2009038426.tif 000022
【図２１】
2009038426.tif 000023
【図２２】
2009038426.tif 000024
【図２３】
2009038426.tif 000025